(57)【要約】  複数の無線アクセス技術をサポートする移動通信ネットワークにおいて使用されるユーザ装置において、第１の無線アクセス技術を使用する前記ユーザ装置から前記移動通信ネットワークに送信された発信要求が拒否される場合に、当該移動通信ネットワークから、タイマ値と動作指示を含む発信拒否信号を受信する受信部と、前記受信部により受信した前記発信拒否信号に含まれる前記タイマ値に基づいて再発信の抑止を行う動作制御部とを備え、前記ユーザ装置が、使用する無線アクセス技術を前記第１の無線アクセス技術から第２の無線アクセス技術に変更した場合において、前記動作制御部が、前記発信拒否信号に含まれる前記動作指示に基づいて再発信を抑止するか否かを決定する。
2015174527.tif 000002
【特許請求の範囲】
【請求項１】
複数の無線アクセス技術をサポートする移動通信ネットワークにおいて使用されるユーザ装置であって、
第１の無線アクセス技術を使用する前記ユーザ装置から前記移動通信ネットワークに送信された発信要求が拒否される場合に、当該移動通信ネットワークから、タイマ値と動作指示を含む発信拒否信号を受信する受信部と、
前記受信部により受信した前記発信拒否信号に含まれる前記タイマ値に基づいて再発信の抑止を行う動作制御部と、を備え、
前記ユーザ装置が、使用する無線アクセス技術を前記第１の無線アクセス技術から第２の無線アクセス技術に変更した場合において、前記動作制御部は、前記発信拒否信号に含まれる前記動作指示に基づいて再発信を抑止するか否かを決定する
ことを特徴とするユーザ装置。
【請求項２】
前記動作指示は、再発信の抑止動作を、前記ユーザ装置が使用する無線アクセス技術に依存して行わせる無線アクセス技術依存指示、又は、再発信の抑止動作を、前記ユーザ装置が使用する無線アクセス技術に拠らずに行わせる無線アクセス技術非依存指示である
ことを特徴とする請求項１に記載のユーザ装置。
【請求項３】
前記ユーザ装置が、使用する無線アクセス技術を前記第１の無線アクセス技術から第２の無線アクセス技術に変更した場合において、
前記動作制御部は、前記動作指示が前記無線アクセス技術依存指示であれば再発信の抑止を行わず、前記動作指示が前記無線アクセス技術非依存指示であればタイマ値に基づく再発信の抑止を行う
ことを特徴とする請求項２に記載のユーザ装置。
【請求項４】
前記発信拒否信号は、前記タイマ値として、無線アクセス技術に依存しない非依存タイマ値と、無線アクセス技術毎の依存タイマ値とを含み、
前記動作制御部は、前記動作指示が前記無線アクセス技術依存指示であれば、前記ユーザ装置が使用している前記第１の無線アクセス技術に対応する依存タイマ値を使用し、前記動作指示が前記無線アクセス技術非依存指示であれば前記非依存タイマ値を使用する
ことを特徴とする請求項２又は３に記載のユーザ装置。
【請求項５】
前記発信拒否信号は、前記タイマ値として、無線アクセス技術毎の依存タイマ値を含み、
前記動作制御部は、前記動作指示が前記無線アクセス技術依存指示であれば、前記ユーザ装置が使用している前記第１の無線アクセス技術に対応する依存タイマ値を使用し、前記動作指示が前記無線アクセス技術非依存指示であれば、前記第１の無線アクセス技術に対応する依存タイマ値と前記第２の無線アクセス技術に対応する依存タイマ値の両方を使用する
ことを特徴とする請求項２又は３に記載のユーザ装置。
【請求項６】
前記動作指示は、前記発信拒否信号におけるタイマ値に含まれる情報である
ことを特徴とする請求項１ないし３のうちいずれか１項に記載のユーザ装置。
【請求項７】
複数の無線アクセス技術をサポートする移動通信ネットワークにおける第１の無線アクセス技術に対応する通信制御装置であって、
前記第１の無線アクセス技術を使用するユーザ装置から送信された発信要求を受信する受信部と、
前記発信要求を拒否する場合に、動作指示と、前記ユーザ装置に再発信の抑止を行わせるためのタイマ値とを含む発信拒否信号を作成し、当該発信拒否信号を前記ユーザ装置に送信する発信拒否制御部と、を備え、
前記動作指示は、前記ユーザ装置が、使用する無線アクセス技術を前記第１の無線アクセス技術から第２の無線アクセス技術に変更した場合において、当該ユーザ装置に再発信の抑止を行うか否かを決定させるために用いられる指示である
ことを特徴とする通信制御装置。
【請求項８】
前記動作指示は、再発信の抑止動作を、前記ユーザ装置が使用する無線アクセス技術に依存して行わせる無線アクセス技術依存指示、又は、再発信の抑止動作を、前記ユーザ装置が使用する無線アクセス技術に拠らずに行わせる無線アクセス技術非依存指示である
ことを特徴とする請求項７に記載の通信制御装置。
【請求項９】
前記動作指示は、前記発信拒否信号におけるタイマ値に含まれる情報である
ことを特徴とする請求項７又は８に記載の通信制御装置。
【請求項１０】
複数の無線アクセス技術をサポートする移動通信ネットワークにおける第１の無線アクセス技術に対応する通信制御装置と、ユーザ装置とを備える通信システムにより実行される発信拒否制御方法であって、
前記第１の無線アクセス技術を使用する前記ユーザ装置が発信要求を送信し、前記通信制御装置が当該発信要求を受信するステップと、
前記通信制御装置が、前記発信要求を拒否する場合に、動作指示と、前記ユーザ装置に再発信の抑止を行わせるためのタイマ値とを含む発信拒否信号を作成し、当該発信拒否信号を前記ユーザ装置に送信するステップと、
前記ユーザ装置が、前記発信拒否信号に含まれる前記タイマ値に基づいて前記第１の無線アクセス技術による再発信の抑止を行うステップと、
前記ユーザ装置が、使用する無線アクセス技術を前記第１の無線アクセス技術から第２の無線アクセス技術に変更した場合において、前記発信拒否信号に含まれる前記動作指示に基づいて再発信を抑止するか否かを決定するステップと
を備えることを特徴とする発信拒否制御方法。
【発明の詳細な説明】
【技術分野】
【０００１】
本発明は、移動通信ネットワークにおいて、端末が発信要求を拒否された場合に、当該端末からの再発信を抑止する技術に関連するものである。
【背景技術】
【０００２】
ＬＴＥあるいは３Ｇ等の無線アクセス技術をサポートする移動通信ネットワークには、スマートフォン等の端末（以下、ＵＥ：Ｕｓｅｒ  Ｅｑｕｉｐｍｅｎｔと呼ぶ）が常に通信できる状態を維持する機能が一般的に備わっている。このような機能に係る動作は"Ａｌｗａｙｓ−ｏｎ"と呼ばれる。【０００３】
ＵＥは、常に通信ができる状態を維持するために、発信要求が拒否された場合等において自動的に再発信を行う。しかし、このような機能をそのまま用いると、端末が再発信を繰り返し実施するため、ネットワーク内の信号量が増加し、輻輳等を誘発する可能性がある。【０００４】
上記のような再発信による輻輳を回避するために、一定時間再発信を抑止するためのバックオフタイマ（Ｂａｃｋｏｆｆ  Ｔｉｍｅｒ）の概念がＲｅｌ−１０から特定のＣａｕｓｅ（発信拒否理由）に対して導入されている（非特許文献１等）。【０００５】
バックオフタイマを使用する場合における発信受付制御の例を図１を参照して説明する。図１に示すように、ＵＥ１が発信を行う（ステップ１）。ネットワーク装置２（ＳＧＳＮ、ＭＭＥ等）は、輻輳を検知したため（ステップ２）、当該発信を受け付けることができないと判断し、Ｒｅｊｅｃｔ（発信拒否信号）をＵＥ１に返す（ステップ３）。当該Ｒｅｊｅｃｔには、Ｒｅｊｅｃｔの理由が輻輳であることを示す情報（Ｃａｕｓｅ値）と、上記バックオフタイマのタイマ値が含まれる。なお、Ｒｅｊｅｃｔの理由として種々のものがＣａｕｓｅとして規定されており（非特許文献１等）、上記の「輻輳」はその一例である。【０００６】
タイマ値を含むＲｅｊｅｃｔを受信したＵＥ１は、通知されたタイマ値の時間、同じＡＰＮ（Ａｃｃｅｓｓ  Ｐｏｉｎｔ  Ｎａｍｅ）への再発信を行わない（ステップ４）。なお、複数ＵＥにＲｅｊｅｃｔを送信する際に、タイマ値をＵＥごとにランダム化することで再発信のタイミングの分散を図ることを可能としている。
【先行技術文献】
【非特許文献】
【０００７】
【非特許文献１】3GPP TS 24.301 V12.4.0 (2014-03)
【非特許文献２】3GPP TS 23.401 V12.4.0 (2014-03)
【非特許文献３】3GPP TS 24.008 V12.5.0 (2014-03)
【非特許文献４】3GPP TS 23.060 V12.4.0 (2014-03)
【発明の概要】
【発明が解決しようとする課題】
【０００８】
上記のように、バックオフタイマの概念がＲｅｌ−１０から特定のＣａｕｓｅに追加されているが、ＳＭ／ＥＳＭ  Ｃａｕｓｅ＃６６のようにＲＡＴ（Ｒａｄｉｏ  Ａｃｃｅｓｓ  Ｔｅｃｈｎｏｌｏｇｙ）単位で（ＲＡＴ依存で）再発信抑止できるものと、Ｃａｕｓｅ＃２７のように、ＲＡＴに拠らずに（ＲＡＴ非依存で）再発信が抑止されるものとの２種類のＣａｕｓｅがある。【０００９】
ＲＡＴ依存の再発信抑止では、例えば、ＵＥがＬＴＥに在圏中にＲｅｊｅｃｔを受信してタイマに基づき再発信を抑止しているときに、ＲＡＴ遷移を行って、ＬＴＥから３Ｇに遷移した場合には、タイマが残っていても再発信を行うことができる。【００１０】
一方、ＲＡＴ非依存の再発信抑止では、例えば、ＵＥがＬＴＥに在圏中にＲｅｊｅｃｔを受信してタイマに基づき再発信を抑止しているときに、ＲＡＴ遷移を行って、ＬＴＥから３Ｇに遷移した場合にも、継続してそのタイマの管理下にあり、タイマが残っていれば再発信を行うことができない。【００１１】
ところで、現状では、特定のＣａｕｓｅにバックオフタイマが付されるが、全てのＣａｕｓｅにバックオフタイマを付けることが３ＧＰＰで検討されている。全てのＣａｕｓｅにバックオフタイマを付ける場合において、各ＣａｕｓｅをＲＡＴ依存にするべきか、ＲＡＴ非依存にするべきかは、同じＣａｕｓｅであってもオペレータの運用ポリシーによって違ってくる。このように違いが生じることについて、Ｃａｕｓｅ＃８（Ｏｐｅｒａｔｏｒ  Ｄｅｔｅｒｍｉｎｅｄ  Ｂａｒｒｉｎｇ：ＯＤＢと略す）にバックオフタイマを適用する場合を例に挙げて説明する。ＯＤＢとは、例えば、料金未納のためにユーザ発信をＲｅｊｅｃｔするような場合に相当する。【００１２】
例えば、オペレータ１においてＬＴＥと３Ｇで別のＯＤＢを適用する場合、つまり、ＬＴＥと３Ｇで別料金契約であるような場合において、オペレータ１にとって、あるユーザに対し、ＬＴＥでＯＤＢを適用する場合、ＬＴＥでは再発信をしてほしくないが、３Ｇでは再発信をしてもらいたい。すなわち、オペレータ１にとって、Ｃａｕｓｅ＃８に付するバックオフタイマはＲＡＴ依存とすることが望ましい。【００１３】
一方、オペレータ２において、ＬＴＥと３ＧのＯＤＢが連動している場合、つまり、ＬＴＥと３Ｇを区別しない料金契約であるような場合、オペレータ２にとって、あるユーザに対し、ＬＴＥでＯＤＢを適用する場合、ＬＴＥのみならず、３Ｇでも再発信をしてほしくない。すなわち、オペレータ２にとって、Ｃａｕｓｅ＃８に付するバックオフタイマはＲＡＴ非依存とすることが望ましい。仮に、オペレータ２において、ＲＡＴ依存のバックオフタイマを適用すると、ＯＤＢが適用されたＬＴＥから３Ｇに遷移したら、再発信が行われ、再度、Ｒｅｊｅｃｔの動作が行われることとなり、信号や、バッテリーに無駄が生じる。【００１４】
本発明は上記の点に鑑みてなされたものであり、ユーザ装置（ＵＥ）からの発信が拒否されたときに、タイマを用いてユーザ装置からの再発信を抑止する移動通信システムにおいて、ユーザ装置のＲＡＴ遷移時における再発信抑止の動作を適切に制御することを可能とする技術を提供することを目的とする。
【課題を解決するための手段】
【００１５】
本発明の実施の形態によれば、複数の無線アクセス技術をサポートする移動通信ネットワークにおいて使用されるユーザ装置であって、
第１の無線アクセス技術を使用する前記ユーザ装置から前記移動通信ネットワークに送信された発信要求が拒否される場合に、当該移動通信ネットワークから、タイマ値と動作指示を含む発信拒否信号を受信する受信部と、
前記受信部により受信した前記発信拒否信号に含まれる前記タイマ値に基づいて再発信の抑止を行う動作制御部と、を備え、
前記ユーザ装置が、使用する無線アクセス技術を前記第１の無線アクセス技術から第２の無線アクセス技術に変更した場合において、前記動作制御部は、前記発信拒否信号に含まれる前記動作指示に基づいて再発信を抑止するか否かを決定するユーザ装置が提供される。【００１６】
また、本発明の実施の形態によれば、複数の無線アクセス技術をサポートする移動通信ネットワークにおける第１の無線アクセス技術に対応する通信制御装置であって、
前記第１の無線アクセス技術を使用するユーザ装置から送信された発信要求を受信する受信部と、
前記発信要求を拒否する場合に、動作指示と、前記ユーザ装置に再発信の抑止を行わせるためのタイマ値とを含む発信拒否信号を作成し、当該発信拒否信号を前記ユーザ装置に送信する発信拒否制御部と、を備え、
前記動作指示は、前記ユーザ装置が、使用する無線アクセス技術を前記第１の無線アクセス技術から第２の無線アクセス技術に変更した場合において、当該ユーザ装置に再発信の抑止を行うか否かを決定させるために用いられる指示である通信制御装置が提供される。【００１７】
また、本発明の実施の形態によれば、複数の無線アクセス技術をサポートする移動通信ネットワークにおける第１の無線アクセス技術に対応する通信制御装置と、ユーザ装置とを備える通信システムにより実行される発信拒否制御方法であって、
前記第１の無線アクセス技術を使用する前記ユーザ装置が発信要求を送信し、前記通信制御装置が当該発信要求を受信するステップと、
前記通信制御装置が、前記発信要求を拒否する場合に、動作指示と、前記ユーザ装置に再発信の抑止を行わせるためのタイマ値とを含む発信拒否信号を作成し、当該発信拒否信号を前記ユーザ装置に送信するステップと、
前記ユーザ装置が、前記発信拒否信号に含まれる前記タイマ値に基づいて前記第１の無線アクセス技術による再発信の抑止を行うステップと、
前記ユーザ装置が、使用する無線アクセス技術を前記第１の無線アクセス技術から第２の無線アクセス技術に変更した場合において、前記発信拒否信号に含まれる前記動作指示に基づいて再発信を抑止するか否かを決定するステップとを備える発信拒否制御方法が提供される。
【発明の効果】
【００１８】
本発明の実施の形態によれば、ユーザ装置からの発信が拒否されたときに、タイマを用いてユーザ装置からの再発信を抑止する移動通信システムにおいて、ユーザ装置のＲＡＴ遷移時における再発信抑止の動作を適切に制御することを可能とする技術が提供される。
【図面の簡単な説明】
【００１９】
【図１】従来技術を説明するための図である。
【図２】本発明の実施の形態に係るシステムの全体構成図である。
【図３】本発明の実施の形態における処理を説明するための図である。
【図４Ａ】本発明の実施の形態における処理を説明するための図である。
【図４Ｂ】本発明の実施の形態における処理を説明するための図である。
【図５】動作指示方法１における信号フォーマット例（ＬＴＥ）を示す図である。
【図６】動作指示方法１における信号フォーマット例（３Ｇ）を示す図である。
【図７】動作指示方法２を説明するための図である。
【図８】本発明の実施の形態における通信制御装置１００の機能構成図である。
【図９】本発明の実施の形態におけるＵＥ１０の機能構成図である。
【図１０】バックオフタイマ動作例１−１におけるＬＴＥ在圏ＵＥのＲｅｊｅｃｔ受信時の動作を示すフローチャートである。
【図１１】バックオフタイマ動作例１−１における３Ｇ在圏ＵＥのＲｅｊｅｃｔ受信時の動作を示すフローチャートである。
【図１２】バックオフタイマ動作例１−１におけるＬＴＥ在圏ＵＥのＲＡＴ変更時の動作を示すフローチャートである。
【図１３】バックオフタイマ動作例１−１における３Ｇ在圏ＵＥのＲＡＴ変更時の動作を示すフローチャートである。
【図１４】バックオフタイマ動作例１−２におけるＬＴＥ在圏ＵＥのＲｅｊｅｃｔ受信時の動作を示すフローチャートである。
【図１５】バックオフタイマ動作例１−２における３Ｇ在圏ＵＥのＲｅｊｅｃｔ受信時の動作を示すフローチャートである。
【図１６】バックオフタイマ動作例１−２におけるＬＴＥ在圏ＵＥのＲＡＴ変更時の動作を示すフローチャートである。
【図１７】バックオフタイマ動作例１−２における３Ｇ在圏ＵＥのＲＡＴ変更時の動作を示すフローチャートである。
【図１８】バックオフタイマ動作例２におけるＵＥのＲｅｊｅｃｔ受信時の動作を示すフローチャートである。
【図１９】バックオフタイマ動作例２におけるＬＴＥ在圏ＵＥのＲＡＴ変更時の動作を示すフローチャートである。
【図２０】バックオフタイマ動作例２における３Ｇ在圏ＵＥのＲＡＴ変更時の動作を示すフローチャートである。
【図２１】バックオフタイマ動作例３におけるＬＴＥ在圏ＵＥのＲｅｊｅｃｔ受信時の動作を示すフローチャートである。
【図２２】バックオフタイマ動作例３における３Ｇ在圏ＵＥのＲｅｊｅｃｔ受信時の動作を示すフローチャートである。
【図２３】バックオフタイマ動作例３におけるＬＴＥ在圏ＵＥのＲＡＴ変更時の動作を示すフローチャートである。
【図２４】バックオフタイマ動作例３における３Ｇ在圏ＵＥのＲＡＴ変更時の動作を示すフローチャートである。
【発明を実施するための形態】
【００２０】
以下、図面を参照して本発明の実施の形態を説明する。なお、以下で説明する実施の形態は一例に過ぎず、本発明が適用される形態は、以下の実施の形態に限られるわけではない。例えば、本実施の形態では、ＲＡＴの例としてＬＴＥ（Ｅ−ＵＴＲＡ）と３Ｇ（ＵＴＲＡ）を挙げているが、本発明の対象となり得るＲＡＴは、これらに限られるわけではない。例えば、ＲＡＴとして、ＬＴＥと３Ｇに加えて、あるいはこれらとは別に、２Ｇ（ＧＳＭ）、ＣＤＭＡ２０００、無線ＬＡＮ、ＷｉＭＡＸ等を対象とすることも可能である。また、本実施の形態では、各Ｃａｕｓｅにタイマ値と動作指示を付加することを想定しているが、特定のＣａｕｓｅにタイマ値と動作指示を付加することとしてもよい。
【００２１】
（システム全体構成例）
図２に、本発明の実施の形態に係る移動通信システムの構成例を示す。図２には、ＭＭＥ（Ｍｏｂｉｌｅ  Ｍａｎａｇｅｍｅｎｔ  Ｅｎｔｉｔｙ）２０、ＳＧＷ（Ｓｅｒｖｉｎｇ  Ｇａｔｅｗａｙ）４０、ＳＧＳＮ（Ｓｅｒｖｉｎｇ  Ｇｅｎｅｒａｌ  Ｐａｃｋｅｔ  Ｒａｄｉｏ  Ｓｅｒｖｉｃｅ  Ｓｕｐｐｏｒｔ  Ｎｏｄｅ）３０、ＰＣＲＦ（Ｐｏｌｉｃｙ  ａｎｄ  Ｃｈａｒｇｉｎｇ  Ｒｕｌｅｓ  Ｆｕｎｃｔｉｏｎ）５０、ＰＧＷ（Ｐａｃｋｅｔ  Ｄａｔａ  Ｎｅｔｗｏｒｋ  Ｇａｔｅｗａｙ）６０が、ＬＴＥのＥＰＣ（Ｅｖｏｌｖｅｄ  Ｐａｃｋｅｔ  Ｃｏｒｅ）７０を構成するノードとして示されている。また、図２の例では、Ｖｏｉｃｅ  ｏｖｅｒ  ＬＴＥをサポートするＩＭＳ（ＩＰ  Ｍｕｌｔｉｍｅｄｉａ  Ｓｕｂｓｙｓｔｅｍ）８０が接続されている。ＩＭＳ８０は、コアネットワーク外のパケットデータネットワーク（ＰＤＮ）の例である。
【００２２】
ＭＭＥ２０とＳＧＷ４０には、ＬＴＥの基地局（ｅＮｏｄｅＢ、図２ではＬＴＥノードと記載）が接続される。また、ＳＧＳＮ３０には、ＲＮＣとＮｏｄｅＢからなる無線アクセス装置（図２では３Ｇノードと記載）が接続される。
【００２３】
ＬＴＥノード２５、ＭＭＥ２５、ＳＧＷ４０によりＬＴＥ無線アクセス収容網が構成され、３Ｇノード３５、ＳＧＳＮ３０、ＳＧＷ４０により３Ｇ無線アクセス収容網が構成される。なお、ＥＰＣ７０、ＬＴＥノード２５、３Ｇノード３５を含むネットワークを、複数のＲＡＴをサポートする移動通信ネットワークと称することができる。
【００２４】
ＵＥ１０は、スマートホン、携帯電話機等を想定しているが、これらに限られるわけではなく、固定端末であってもよい。ＥＰＣ７０を構成する装置の機能の概要は以下のとおりである。
【００２５】
ＭＭＥ２０は、ｅＮｏｄｅＢを収容し，モビリティ制御、ベアラ制御機能等を提供する交換機である。ＳＧＳＮ３０は、２Ｇ（ＵＴＲＡＮ）／３Ｇ（ＧＥＲＡＮ）アクセスを収容するパケット交換機である。ＳＧＷ４０は、３ＧＰＰアクセスシステムを収容する在圏パケット交換機である。ＰＧＷ６０は、ＩＭＳ基盤との接続点であり、ＩＰアドレスの割当てや、ＳＧＷ４０へのパケット転送等を行うパケット交換機である。ＰＧＷ６０は、また、ＰＣＲＦ５０と連携し、ＱｏＳ制御、ベアラ設定制御などを行う。ＰＣＲＦ５０は、ユーザデータ転送のＱｏＳおよび課金のための制御を行う論理ノードである。
【００２６】
本実施の形態では、ＵＥ１０、ＳＧＳＮ３０、ＭＭＥ２０が本発明に係る機能を備えている。なお、ネットワーク側については、ＳＧＳＮ３０、ＭＭＥ２０以外の装置が本発明に係る機能を備えてもよい。すなわち、ＳＧＳＮ３０、ＭＭＥ２０以外の装置が、後述する通信制御装置１００として機能してもよい。
【００２７】
（システム動作概要）
次に、図３、図４を参照して、本発明の実施の形態に係る通信システムの動作の概要を説明する。図３において、通信制御装置１００はＳＧＳＮ３０又はＭＭＥ２０に相当し、上位ノード装置２００はＰＧＷ６０もしくは３ＧのＧＧＳＮに相当するが、このような機能区分は一例に過ぎない。
【００２８】
図３において、まず、ＵＥ１０が発信要求信号を送信することで発信を行う（ステップ１０１）。
【００２９】
発信要求信号を受信した通信制御装置１００は、上位ノード装置２００に対して通信路設定要求を送信する（ステップ１０２）。図３の例では、通信路設定要求を受信した上位ノード装置２００が、ネットワークの輻輳を検知し（ステップ１０３）、要求を受け付けられないことを示すＲｅｊｅｃｔ信号を通信制御装置１００に送信する（ステップ１０４）。
【００３０】
上位ノード装置２００からＲｅｊｅｃｔ信号を受信した通信制御装置１００は、Ｒｅｊｅｃｔ信号を受信することで、ネットワーク輻輳を知り、ＵＥ１０からの発信要求を受け付けられないと判断し、ＵＥ１０に対してＲｅｊｅｃｔ信号を送信する（ステップ１０５）。なお、通信制御装置１００において輻輳を検知する場合や、上位ノード装置２００から予め輻輳を通知されている場合があり、そのような場合には、ステップ１０２に進まずに、ステップ１０１の発信要求の後、ステップ１０５のＲｅｊｅｃｔ信号送信が行われる。
【００３１】
図３に示す例において、ＵＥ１０に送信されるＲｅｊｅｃｔ信号には、Ｒｅｊｅｃｔの理由を示す値（Ｃａｕｓｅ値）、バックオフタイマ値（以下、タイマ値と呼ぶ）、動作指示が含まれる。動作指示は、「ＲＡＴ依存」又は「ＲＡＴ非依存」を指示する情報である。
【００３２】
上記Ｒｅｊｅｃｔ信号を受信したＵＥ１０は、タイマ値及び動作指示に従って、再発信抑止の動作を行う（ステップ１０６）。
【００３３】
Ｒｅｊｅｃｔ信号を受信したＵＥ１０の動作の概要を図４Ａ、Ｂを参照して説明する。図４Ａに示すように、ＲＡＴ１（例えばＬＴＥ）に在圏するＵＥ１０が、ＲＡＴ１の通信制御装置１００から「ＲＡＴ依存」の動作指示を含むＲｅｊｅｃｔ信号を受信した場合、Ｒｅｊｅｃｔ信号を受信してから、タイマ値の時間だけ、同じＡＰＮへの再発信を行わない。つまり、Ｒｅｊｅｃｔ信号を受信してからタイマ値のタイマを起動し、タイマが満了するまで再発信を行わない。ここで、Ｒｅｊｅｃｔ信号を受信したＵＥ１０が、ＲＡＴ１からＲＡＴ２（例えば３Ｇ）へＲＡＴを遷移したとする。このとき、ＵＥ１０は、「ＲＡＴ依存」動作指示に従って、タイマが満了しているか否かに関わらず、ＲＡＴ２に対して再発信を行うことができる。
【００３４】
なお、上記の説明の中の、ＵＥ１０がＲＡＴ１に在圏するとは、ＵＥ１０がＲＡＴ１（無線アクセス技術１）を使用して無線通信を行うことであり、「ＲＡＴ１に在圏する」を、「ＲＡＴ１を使用する」と言い換えてもよい。ＲＡＴ２についても同様である。
【００３５】
図４Ｂに示すように、ＲＡＴ１（例えばＬＴＥ）に在圏するＵＥ１０が、ＲＡＴ１の通信制御装置１００から「ＲＡＴ非依存」の動作指示を含むＲｅｊｅｃｔ信号を受信した場合、Ｒｅｊｅｃｔ信号を受信してから、タイマ値の時間だけ、同じＡＰＮへの再発信を行わない。つまり、Ｒｅｊｅｃｔ信号を受信してからタイマ値のタイマを起動し、タイマが満了するまで再発信を行わない。ここで、Ｒｅｊｅｃｔ信号を受信したＵＥ１０が、ＲＡＴ１からＲＡＴ２（例えば３Ｇ）へＲＡＴを遷移したとする。このとき、ＵＥ１０は、「ＲＡＴ非依存」動作指示に従って、ＲＡＴ１で受信したタイマ値に基づくタイマの制御に従う。つまり、タイマが満了していなければ、再発信を行うことができず、タイマが満了していれば再発信を行うことができる。
【００３６】
なお、ＲＡＴ遷移後に再発信を行った結果、タイマ値と動作指示を含むＲｅｊｅｃｔ信号を受信した場合、例えば、以前のタイマ値と動作指示は、新たに受信したタイマ値と動作指示により上書きされる。つまり、以前のタイマ値と動作指示は削除され、新たに受信したタイマ値と動作指示に置き換えられる。
【００３７】
（動作指示の詳細例）
本実施の形態において、通信制御装置１００からＵＥ１０に対してＲＡＴ依存／ＲＡＴ非依存の動作指示をする際の動作指示方法として、本実施の形態では、以下の動作指示方法１、動作指示方法２を用いることができる。
【００３８】
＜動作指示方法１＞
動作指示方法１は、既存のＲｅｊｅｃｔ信号のフォーマットに、新規情報要素（新規ＩＥ）を追加するものである。つまり、「ＲＡＴ依存」もしくは「ＲＡＴ非依存」を指定するＩＥを追加する。また、後述するように、複数タイマ値を指示する場合等を考慮して、タイマ値用の新規情報要素を追加してもよい。
【００３９】
なお、新規情報要素が信号に設定されない場合のデフォルト動作は「ＲＡＴ依存」であってもよいし、「ＲＡＴ非依存」であってもよい。
【００４０】
動作指示方法１におけるＬＴＥでの発信Ｒｅｊｅｃｔ信号のフォーマット例を図５に示す。図５に示すように、ＵＥ１０からＭＭＥ２０に対し、発信要求信号として「ＮＡＳ  ＥＳＭ  ＰＤＮ  Ｃｏｎｎｅｃｔｉｖｉｔｙ  Ｒｅｑｕｅｓｔ」が送信される（ステップ１０１）。発信を受け付けないと判断したＭＭＥ２０は、発信Ｒｅｊｅｃｔ信号として「ＮＡＳ  ＥＳＭ  ＰＤＮ  Ｃｏｎｎｅｃｔｉｖｉｔｙ  Ｒｅｊｅｃｔ」をＵＥ１０に送信する（ステップ１０５）。
【００４１】
発信Ｒｅｊｅｃｔ信号には、図５に示すＩＥが含まれる。図５に示すＩＥのうち、Ｔｉｍｅｒ制御指示とＴｉｍｅｒ  Ｖａｌｕｅが新規情報要素である。Ｔｉｍｅｒ制御指示における設定値は、Ｂｏｏｌｅａｎ型でもよいし、Ｅｎｕｍｒａｔｅｄ型（例：０-非依存，１-ＬＴＥ限定，２-３Ｇ限定）でもよい。
【００４２】
動作指示方法１における３Ｇでの発信Ｒｅｊｅｃｔ信号のフォーマット例を図６に示す。図６に示すように、ＵＥ１０がＳＧＳＮ３０に対し、発信要求信号として「ＮＡＳ  ＳＭ  Ａｃｔｉｖａｔｅ  ＰＤＰ  Ｃｏｎｔｅｘｔ  Ｒｅｑｕｅｓｔ」を送信する（ステップ１０１）。発信を受け付けないと判断したＳＧＳＮ３０は、発信Ｒｅｊｅｃｔ信号として「ＮＡＳ  ＳＭ  Ａｃｔｉｖａｔｅ  ＰＤＰ  Ｃｏｎｔｅｘｔ  Ｒｅｊｅｃｔ」をＵＥ１０に送信する（ステップ１０５）。
【００４３】
発信Ｒｅｊｅｃｔ信号には、図６に示すＩＥが含まれる。図６に示すＩＥのうち、Ｔｉｍｅｒ制御指示とＴｉｍｅｒ  Ｖａｌｕｅが新規情報要素である。Ｔｉｍｅｒ制御指示における設定値は、Ｂｏｏｌｅａｎ型でもよいし、Ｅｎｕｍｒａｔｅｄ型（例：０-非依存，１-ＬＴＥ限定，２-３Ｇ限定）でもよい。
【００４４】
なお、新規情報要素を設けて動作指示を通知することは必須ではなく、後述するバックオフタイマ動作例１−２のように、タイマ値を通知することでＩｍｐｌｉｃｉｔに動作指示を行うこととしてもよい。
【００４５】
＜動作指示方法２＞
動作指示方法２は、ＲＡＴ非依存もしくはＲＡＴ依存の動作を、Ｃａｕｓｅ値で指示するものである。つまり、既存のＣａｕｓｅのコピーとして１セットの新規Ｃａｕｓｅ値を追加し、既存の値をＲＡＴ非依存（又はＲＡＴ依存）、新規の値をＲＡＴ依存（又はＲＡＴ非依存）と規定する。
【００４６】
例えば、図７に示すように、「Ｏｐｅｒａｔｏｒ  Ｄｅｔｅｒｍｉｎｅｄ  Ｂａｒｒｉｎｇ」のＣａｕｓｅ値として、既存の＃８に、＃２０８を追加する。図７のように規定した場合、ＵＥ１０は、Ｃａｕｓｅ＃８を受信したときにはＲＡＴ非依存の動作を行い、Ｃａｕｓｅ＃２０８を受信したときにはＲＡＴ依存の動作を行う。
【００４７】
（バックオフタイマ動作の具体例）
本実施の形態では、バックオフタイマの動作の具体例として、以下の４つのバックオフタイマ動作例がある。以下、それぞれについて説明する。これらの動作例については、後にフローチャートを用いてより詳細に説明する。なお、以下の動作例１−１、１−２については共にＲＡＴ非依存タイマ値とＲＡＴ依存タイマ値が定義されることから、動作例１−１、１−２としてまとめている。
【００４８】
＜バックオフタイマ動作例１−１＞
バックオフタイマ動作例１−１では、通信制御装置１００は、ＵＥ１０にＲＡＴ非依存タイマ値と、ＲＡＴ依存タイマ値（本実施の形態では、ＬＴＥタイマ値と３Ｇタイマ値）とを通知する。そして、ＵＥ１０は、動作指示（ＲＡＴ依存／ＲＡＴ非依存）の内容に応じて、使用するタイマ値を決定する。
【００４９】
例えば、ＵＥ１０は、ＬＴＥに在圏しているときに、ＲＡＴ依存指示を受信した場合、ＬＴＥタイマ値を用いて再発信抑止制御を行う。また、ＵＥ１０がＲＡＴ非依存指示を受信した場合は、ＲＡＴ非依存タイマ値を用いて再発信抑止制御を行う。
【００５０】
＜バックオフタイマ動作例１−２＞
バックオフタイマ動作例１−２では、通信制御装置１００は、ＵＥ１０にＲＡＴ非依存タイマ値とＲＡＴ依存タイマ値（本実施の形態では、ＬＴＥタイマ値と３Ｇタイマ値）のいずれかを通知するが、新規情報要素を用いた動作指示は通知しない。ＵＥ１０は、動作指示（ＲＡＴ依存／ＲＡＴ非依存）をタイマ値の有無で判断する。
【００５１】
例えば、ＵＥ１０は、ＬＴＥに在圏しているときに、ＲＡＴ非依存タイマ値を受信せずにＲＡＴ依存タイマ値を受信した場合、ＲＡＴ依存の動作指示であると解釈し、ＲＡＴ依存タイマ値（ＬＴＥタイマ値）を用いて再発信抑止制御を行う。また、ＵＥ１０がＲＡＴ依存タイマ値を受信せずにＲＡＴ非依存タイマ値を受信した場合は、ＲＡＴ非依存の動作指示であると解釈し、ＲＡＴ非依存タイマ値を用いて再発信抑止制御を行う。
【００５２】
なお、通信制御装置１００は、ＵＥ１０にＲＡＴ依存タイマ値を送信する場合において、ＬＴＥタイマ値と３Ｇタイマ値の両方を送らずに、ＵＥ１０が在圏するＲＡＴに対応した１つのタイマ値のみを送ることとしてもよい。例えば、ＬＴＥ在圏中にＲＡＴ依存を指示する場合はＬＴＥタイマ値のみを送信し、３Ｇ在圏中にＲＡＴ依存を指示する場合は３Ｇタイマ値のみを送信することとしてもよい。
【００５３】
＜バックオフタイマ動作例２＞
バックオフタイマ動作例２では、通信制御装置１００は、ＵＥ１０に１つのタイマ値を通知する。そして、ＵＥ１０は、動作指示（ＲＡＴ依存／ＲＡＴ非依存）の内容に従って、当該タイマ値を使用して再発信抑止制御を行う。
【００５４】
例えば、ＵＥ１０は、ＲＡＴ非依存指示を受信した場合、上記タイマ値の時間を計時するタイマを起動して再発信抑止を開始し、タイマ満了前にＲＡＴ遷移してもタイマを止めずに再発信抑止を継続する。また、ＵＥ１０は、ＲＡＴ依存指示を受信した場合、上記タイマ値の時間を計時するタイマを起動して再発信抑止を開始するが、タイマ満了前にＲＡＴ遷移した場合、タイマを止めて、遷移先のＲＡＴで再発信を行う。
【００５５】
＜バックオフタイマ動作例３＞
バックオフタイマ動作例３では、通信制御装置１００は、ＵＥ１０にＲＡＴ依存タイマ値（本実施の形態では、ＬＴＥタイマ値と３Ｇタイマ値）のみを通知する。そして、ＵＥ１０は、動作指示（ＲＡＴ依存／ＲＡＴ非依存）の内容に応じて、使用するタイマ値を決定する。
【００５６】
ＵＥ１０は、ＲＡＴ依存指示を受信した場合、そのＲＡＴのタイマ値（例：ＬＴＥであればＬＴＥタイマ値）の時間を計時するタイマを起動して再発信抑止を開始するが、タイマ満了前にＲＡＴ遷移した場合、タイマを止めて、遷移先のＲＡＴで再発信を行う。
【００５７】
また、ＵＥ１０は、ＲＡＴ非依存指示を受信した場合、両方のＲＡＴのタイマを同時に起動して再発信抑止を開始し、在圏するＲＡＴのタイマに従って再発信抑止制御を行う。例えば、ＬＴＥに在圏しているとき（最初からＬＴＥに在圏する場合、又は、３ＧからＬＴＥに遷移した場合）に、ＬＴＥのタイマが満了した場合は、３Ｇのタイマが満了していなくても再発信抑止を終了する。また、例えば、３Ｇのタイマが満了していない状態で、ＬＴＥから３Ｇに遷移した場合は、３Ｇでの再発信を抑止する。
【００５８】
（装置構成例、動作フロー）
＜通信制御装置１００＞
図８に、本発明の実施の形態に係る通信制御装置１００の機能構成を示す。図８は、通信制御装置１００として機能する装置（本実施の形態では、ＭＭＥ２０又はＳＧＳＮ３０）の機能のうち、Ｒｅｊｅｃｔ理由（輻輳等）を検知してＲｅｊｅｃｔ信号を送信するという本実施の形態に関連する機能を主に示している。また、通信制御装置１００は、ＭＭＥ２０であるかＳＧＳＮ３０であるかによって、実際の機能構成は異なるが、本実施の形態に係る機能は両者間で基本的に同じであり、図８のように図示される。
【００５９】
図８に示すように、通信制御装置１００は、発信要求受信部１０１、通信路設定要求送信部１０２、発信要求受付判定部１０３、及び発信拒否制御部１０４を備える。
【００６０】
発信要求受信部１０１は、ＵＥ１０から発信要求信号を受信する。通信路設定要求送信部１０２は、ＵＥ１０から発信要求信号を受信したことに応じて、通信路設定要求（例：ＰＤＰコンテクスト設定要求、ベアラ設定要求）を上位ノード装置２００に送信する。
【００６１】
発信要求受付判定部１０３は、通信制御装置１００が取得・管理する情報、上位ノード装置２００から予め受信した情報、上位ノード装置２００からの通信路設定要求に対する応答等に基づいて、ＵＥ１０から受信した発信要求を受け付けるか否かを判定する。
【００６２】
例えば、発信要求受付判定部１０３は、ユーザ情報等により、発信要求の発信元のユーザが通信サービスを提供できないユーザであると識別した場合に、発信要求の発信元のＵＥ１０に対して発信要求を受け付けないと判定し、受け付けないことを発信拒否制御部１０４に通知する。また、例えば、発信要求受付判定部１０３は、輻輳を検知したことにより、発信要求の発信元のＵＥ１０に対して発信要求を受け付けないと判定し、受け付けないことを発信拒否制御部１０４に通知する。なお、発信要求を受け付ける場合は、通信路が設定され、発信要求の送信元に対して正常応答が返される。
【００６３】
発信要求の発信元のＵＥ１０に対して発信要求を受け付けない場合において、発信拒否制御部１０４は、拒否理由を示すＣａｕｓｅ値、タイマ値、動作指示を含む発信Ｒｅｊｅｃｔ信号を作成し、ＵＥ１０に送信する。なお、前述したように、動作指示を含めない場合もある。
【００６４】
タイマ値については、例えば、前述したバックオフタイマ動作例１−１、１−２、２、３のうち、どれを適用するかに応じて、必要な個数・種類のタイマ値が送信される。また、タイマ値の値については、ＲＡＴ毎及び／又はＣａｕｓｅ毎に予め定めた値を用いてもよいし、ＵＥの混雑度合等に応じて、ダイナミックに決定した値を用いてもよい。
【００６５】
動作指示の内容（ＲＡＴ依存、又はＲＡＴ非依存）については、例えば、ＲＡＴ毎及び／又はＣａｕｓｅ毎に予め定めた値としてもよいし、その他の方法で決定した値としてもよい。
【００６６】
＜ＵＥ１０＞
図９に、本発明の実施の形態に係るＵＥ１０の機能構成を示す。図９に示すように、ＵＥ１０は、無線部１１、通信処理部１２、動作制御部１３を有し、通信処理部１２は、ＬＴＥ機能部１４と３Ｇ機能部１５を有する。なお、図９は、ＵＥのうち、本実施の形態に関連する機能部のみを示すものである。また、通信処理部１２が、ＬＴＥ機能部１４と３Ｇ機能部１５を有することは例にすぎず、より多くのＲＡＴに対応する機能部を有してもよい。
【００６７】
無線部１１は、アンテナ及び高周波ＬＳＩ等からなり、通信処理部１２で作成された信号を無線送信したり、無線で受信した信号を通信処理部１２に渡す機能等を備える。
【００６８】
通信処理部１２は、ベースバンド部と呼んでもよく、パケットと無線上に乗せる信号（ＯＦＤＭ信号、ＷＣＤＭＡ信号等）との間の変換（変復調）等を行う。通信処理部１２は、ＬＴＥ機能部１４と３Ｇ機能部１５を有し、ＬＴＥ機能部１４が、ＬＴＥ信号の処理を行い、３Ｇ機能部１５が３Ｇ信号の処理を行う。ＲＡＴ遷移等の処理（ＲＡＴ間セル再選択等）についても通信処理部１２が実行している。
【００６９】
動作制御部１３は、本実施の形態における動作制御を行う。つまり、動作制御部１３は、発信要求信号の作成や送信（通信処理部１２に渡すこと）、Ｒｅｊｅｃｔ信号の受信（通信処理部１２から受け取ること）や解析、タイマ値に基づくタイマの開始／満了監視、動作指示及びタイマ値に従った再発信抑止制御等を実行する。
【００７０】
＜動作フロー＞
以下、前述したバックオフタイマ動作例１−１〜３についてのＵＥ１０の動作をフローチャートを参照して説明する。各フローチャートに示す動作は、主にＵＥ１０における動作制御部１３により実行されるものである。なお、以下で説明する動作例においては、Ｒｅｊｅｃｔ信号に、本実施の形態に係るタイマ値や動作指示を含まない場合の動作（既存動作）も考慮している。
【００７１】
図１０は、バックオフタイマ動作例１−１において、ＵＥ１０がＬＴＥに在圏している場合のＲｅｊｅｃｔ信号受信時の動作を示すフローチャートである。前述したように、バックオフタイマ動作例１−１では、通信制御装置１００からＵＥ１０にタイマ値を通知する場合、ＲＡＴ非依存のタイマ値とＲＡＴ依存のタイマ値（本例ではＬＴＥタイマ値、３Ｇタイマ値）が通知される。
【００７２】
Ｒｅｊｅｃｔ信号を受信したＵＥ１０は、ステップ２０１において、動作指示（ＲＡＴ依存／ＲＡＴ非依存）の有無、タイマ値の有無を確認する。本実施の形態における新たな動作は、動作指示及びタイマ値があることを前提とするから、動作指示とタイマ値のうちのいずれかがない場合はステップ２０２に進み、既存動作を実行する。
【００７３】
動作指示とタイマ値の両方がある場合はステップ２０３に進み、ＵＥ１０は、動作指示の内容を確認する。動作指示がＲＡＴ非依存である場合、ステップ２０４に進み、ＵＥ１０は、ＲＡＴ非依存タイマのみを開始する。なお、ＲＡＴ非依存タイマを開始するとは、ＲＡＴ非依存タイマ値の時間が経過したことで満了するタイマを開始することである。他のタイマについても同様である。ステップ２０４でＲＡＴ非依存タイマを開始すると、ステップ２０５において、当該タイマが起動中（満了する前）、再発信を抑止する。
【００７４】
ステップ２０３での確認の結果、動作指示がＲＡＴ依存である場合、ステップ２０６に進み、ＵＥ１０は、現在の在圏ＲＡＴであるＬＴＥのタイマであるＬＴＥタイマを開始する。ステップ２０６でＬＴＥタイマを開始すると、ステップ２０７において、当該タイマが起動中（満了する前）、現在のＲＡＴであるＬＴＥに在圏中は再発信を抑止する。
【００７５】
図１１は、バックオフタイマ動作例１−１において、ＵＥ１０が３Ｇに在圏している場合のＲｅｊｅｃｔ信号受信時の動作を示すフローチャートである。
【００７６】
Ｒｅｊｅｃｔ信号を受信したＵＥ１０は、ステップ２１１において、動作指示（ＲＡＴ依存／ＲＡＴ非依存）の有無、タイマ値の有無を確認する。動作指示とタイマ値のうちのいずれかがない場合はステップ２１２に進み、既存動作を実行する。
【００７７】
動作指示とタイマ値の両方がある場合はステップ２１３に進み、ＵＥ１０は、動作指示の内容を確認する。動作指示がＲＡＴ非依存である場合、ステップ２１４に進み、ＵＥ１０は、ＲＡＴ非依存タイマを開始する。ステップ２１４でＲＡＴ非依存タイマを開始すると、ステップ２１５において、当該タイマが起動中（満了する前）、再発信を抑止する。
【００７８】
ステップ２１３での確認の結果、動作指示がＲＡＴ依存である場合、ステップ２１６に進み、ＵＥ１０は、現在の在圏ＲＡＴである３Ｇのタイマである３Ｇタイマのみを開始する。ステップ２１６で３Ｇタイマを開始すると、ステップ２１７において、当該タイマが起動中（満了する前）、現在のＲＡＴである３Ｇに在圏中は再発信を抑止する。
【００７９】
図１２は、バックオフタイマ動作例１−１において、ＵＥ１０がＬＴＥから３ＧにＲＡＴ変更を行った場合の動作を示すフローチャートである。
【００８０】
ステップ３０１において、ＵＥ１０は、動作タイマ判定を行う。タイマがない場合は、ステップ３０２に進み、既存動作を行う。ステップ３０１での判定の結果、ＲＡＴ非依存タイマが動作中である場合は、ステップ３０３に進み、ＵＥ１０は、３Ｇでの発信（再発信）を抑止する。ステップ３０１での判定の結果、ＬＴＥタイマが動作中（満了前）、かつ、ＲＡＴ非依存タイマが動作していなければ、ステップ３０４に進み、ＵＥ１０は、ＬＴＥタイマを停止し、３Ｇでの発信（再発信）を行う。なお、上記の処理で、ＲＡＴ非依存タイマが動作中であることは、動作指示がＲＡＴ非依存であることに基づき、また、ＲＡＴ依存タイマが動作中であることは、動作指示がＲＡＴ依存であることに基づく。つまり、ＵＥ１０のＲＡＴ遷移後の再発信抑止動作は、ＲＡＴ遷移前の動作指示に基づき決定される。
【００８１】
図１３は、バックオフタイマ動作例１−１において、ＵＥ１０が３ＧからＬＴＥにＲＡＴ変更を行った場合の動作を示すフローチャートである。
【００８２】
ステップ３１１において、ＵＥ１０は、動作タイマ判定を行う。タイマがない場合は、ステップ３１２に進み、既存動作を行う。ステップ３１１での判定の結果、ＲＡＴ非依存タイマが動作中（満了前）である場合は、ステップ３１３に進み、ＵＥ１０は、ＬＴＥでの発信（再発信）を抑止する。ステップ３１１での判定の結果、３Ｇタイマが動作中、かつ、ＲＡＴ非依存タイマが動作していなければ、ステップ３１４に進み、ＵＥ１０は、３Ｇタイマを停止し、ＬＴＥでの発信（再発信）を行う。
【００８３】
図１４は、バックオフタイマ動作例１−２において、ＵＥ１０がＬＴＥに在圏している場合のＲｅｊｅｃｔ信号受信時の動作を示すフローチャートである。前述したように、バックオフタイマ動作例１−２では、通信制御装置１００からＵＥ１０に対し、新規情報要素を用いた動作指示を通知せずに、タイマ値を通知する。ＵＥ１０は、受信したタイマ値に基づきＲＡＴ依存指示かＲＡＴ非依存指示かを判断する。
【００８４】
Ｒｅｊｅｃｔ信号を受信したＵＥ１０は、ステップ２２１においてタイマ値の有無を確認する。タイマ値がない場合はステップ２２２に進み、既存動作を実行する。
【００８５】
Ｒｅｊｅｃｔ信号の中にＲＡＴ非依存タイマ値があり、かつ、ＲＡＴ依存タイマ値（ＬＴＥタイマ値）がない場合、ＵＥ１０は、ＲＡＴ非依存指示を受けたものと判断し、ステップ２２３に進み、ＲＡＴ非依存タイマを開始する。ステップ２２３でＲＡＴ非依存タイマを開始すると、ステップ２２４において、当該タイマが起動中（満了する前）、再発信を抑止する。
【００８６】
Ｒｅｊｅｃｔ信号の中にＲＡＴ依存タイマ値（ＬＴＥタイマ値）があり、かつ、ＲＡＴ非依存タイマ値がない場合、ＵＥ１０は、ＲＡＴ依存指示を受けたものと判断し、ステップ２２５に進み、ＬＴＥタイマを開始する。ステップ２２５でＬＴＥタイマを開始すると、ステップ２２６において、当該タイマが起動中（満了する前）、ＬＴＥ在圏中は再発信を抑止する。
【００８７】
図１５は、バックオフタイマ動作例１−２において、ＵＥ１０が３Ｇに在圏している場合のＲｅｊｅｃｔ信号受信時の動作を示すフローチャートである。
【００８８】
Ｒｅｊｅｃｔ信号を受信したＵＥ１０は、ステップ２３１においてタイマ値の有無を確認する。タイマ値がない場合はステップ２３２に進み、既存動作を実行する。
【００８９】
Ｒｅｊｅｃｔ信号の中にＲＡＴ非依存タイマ値があり、かつ、ＲＡＴ依存タイマ値（３Ｇタイマ値）がない場合、ＵＥ１０は、ＲＡＴ非依存指示を受けたものと判断し、ステップ２３３に進み、ＲＡＴ非依存タイマを開始する。ステップ２３３でＲＡＴ非依存タイマを開始すると、ステップ２３４において、当該タイマが起動中（満了する前）、再発信を抑止する。
【００９０】
Ｒｅｊｅｃｔ信号の中にＲＡＴ依存タイマ値（３Ｇタイマ値）があり、かつ、ＲＡＴ非依存タイマ値がない場合、ＵＥ１０は、ＲＡＴ依存指示を受けたものと判断し、ステップ２３５に進み、３Ｇタイマを開始する。ステップ２３５で３Ｇタイマを開始すると、ステップ２３６において、当該タイマが起動中（満了する前）、３Ｇ在圏中は再発信を抑止する。
【００９１】
図１６は、バックオフタイマ動作例１−２において、ＵＥ１０がＬＴＥから３ＧにＲＡＴ変更を行った場合の動作を示すフローチャートである。
【００９２】
ステップ３２１において、ＵＥ１０は、ＲＡＴ依存タイマ（ＬＴＥタイマ）が動作していればそれを停止する。ステップ３２２において、ＵＥ１０は、動作タイマ判定を行う。ステップ３２２での判定の結果、ＲＡＴ非依存タイマが動作中である場合は、ステップ３２３に進み、ＵＥ１０は、３Ｇでの発信（再発信）を抑止する。ステップ３２２での判定の結果、ＲＡＴ非依存タイマが動作していない場合は、ステップ３２４に進み、ＵＥ１０は、３Ｇでの発信（再発信）を行う。
【００９３】
図１７は、バックオフタイマ動作例１−２において、ＵＥ１０が３ＧからＬＴＥにＲＡＴ変更を行った場合の動作を示すフローチャートである。
【００９４】
ステップ３３１において、ＵＥ１０は、ＲＡＴ依存タイマ（３Ｇタイマ）が動作していればそれを停止する。ステップ３３２において、ＵＥ１０は、動作タイマ判定を行う。ステップ３３２での判定の結果、ＲＡＴ非依存タイマが動作中である場合は、ステップ３３３に進み、ＵＥ１０は、ＬＴＥでの発信（再発信）を抑止する。ステップ３３２での判定の結果、ＲＡＴ非依存タイマが動作していない場合は、ステップ３２４に進み、ＵＥ１０は、ＬＴＥでの発信（再発信）を行う。
【００９５】
図１８は、バックオフタイマ動作例２において、ＵＥ１０がＬＴＥ（又は３Ｇ）に在圏している場合のＲｅｊｅｃｔ信号受信時の動作を示すフローチャートである。前述したように、バックオフタイマ動作例２では、通信制御装置１００からＵＥ１０にタイマ値を通知する場合、１つのタイマ値が通知される。
【００９６】
Ｒｅｊｅｃｔ信号を受信したＵＥ１０は、ステップ４０１において、動作指示（ＲＡＴ依存／ＲＡＴ非依存）の有無、タイマ値の有無を確認する。動作指示とタイマ値のうちのいずれかがない場合はステップ４０２に進み、既存動作を実行する。
【００９７】
動作指示とタイマ値の両方がある場合はステップ４０３に進み、ＵＥ１０は、タイマを開始する。ＵＥ１０は、ステップ４０３でタイマを開始すると、ステップ４０４において、当該タイマが動作中（満了する前）、現在のＲＡＴであるＬＴＥ（又は３Ｇ）に在圏中は再発信を抑止する。
【００９８】
図１９は、バックオフタイマ動作例２において、ＵＥ１０がＬＴＥから３ＧにＲＡＴ変更を行った場合の動作を示すフローチャートである。
【００９９】
ステップ５０１において、ＵＥ１０は、動作指示（ＲＡＴ非依存／ＲＡＴ依存）の判定を行う。この判定は、現在動作している１つのタイマが、ＲＡＴ非依存タイマとして動作しているのか、それともＲＡＴ依存タイマ（ＲＡＴ変更前のＲＡＴのタイマ）として動作しているのかを判定する動作タイマ判定でもある。
【０１００】
まず、タイマがない場合は、ステップ５０２に進み、既存動作を行う。ステップ５０１での判定の結果、動作指示がＲＡＴ非依存であり、タイマがＲＡＴ非依存タイマとして動作中（満了前）である場合は、ステップ５０３に進み、ＵＥ１０は、３Ｇでの発信（再発信）を抑止する。ステップ５０１での判定の結果、動作指示がＲＡＴ依存であり、タイマがＲＡＴ依存タイマ（ＬＴＥタイマ）として動作中（満了前）である場合は、ステップ５０４に進み、ＵＥ１０は、タイマを停止し、３Ｇでの発信（再発信）を行う。
【０１０１】
図２０は、バックオフタイマ動作例２において、ＵＥ１０が３ＧからＬＴＥにＲＡＴ変更を行った場合の動作を示すフローチャートである。
【０１０２】
ステップ５１１において、ＵＥ１０は、動作指示（ＲＡＴ非依存／ＲＡＴ依存）の判定を行う。タイマがない場合は、ステップ５１２に進み、既存動作を行う。ステップ５１１での判定の結果、動作指示がＲＡＴ非依存であり、タイマがＲＡＴ非依存タイマとして動作中（満了前）である場合は、ステップ５１３に進み、ＵＥ１０は、ＬＴＥでの発信（再発信）を抑止する。ステップ５１１での判定の結果、動作指示がＲＡＴ依存であり、タイマがＲＡＴ依存タイマ（３Ｇタイマ）として動作中（満了前）である場合は、ステップ５１４に進み、ＵＥ１０は、タイマを停止し、ＬＴＥでの発信（再発信）を行う。
【０１０３】
図２１は、バックオフタイマ動作例３において、ＵＥ１０がＬＴＥに在圏している場合のＲｅｊｅｃｔ信号受信時の動作を示すフローチャートである。前述したように、バックオフタイマ動作例３では、通信制御装置１００からＵＥ１０にタイマ値を通知する場合、ＲＡＴ依存のタイマ値（本例ではＬＴＥタイマ値、３Ｇタイマ値）のみが通知される。
【０１０４】
Ｒｅｊｅｃｔ信号を受信したＵＥ１０は、ステップ６０１において、動作指示（ＲＡＴ依存／ＲＡＴ非依存）の有無、タイマ値の有無を確認する。動作指示とタイマ値のうちのいずれかがない場合はステップ６０２に進み、既存動作を実行する。
【０１０５】
動作指示とタイマ値の両方がある場合はステップ６０３に進み、ＵＥ１０は、動作指示の内容を確認する。動作指示がＲＡＴ非依存である場合、ステップ６０４に進み、ＵＥ１０は、３ＧタイマとＬＴＥタイマの両方を開始する。ステップ６０４で両タイマを開始すると、ステップ６０５において、現在のＲＡＴのタイマであるＬＴＥタイマが動作中（満了する前）、ＬＴＥに在圏中は再発信を抑止する。
【０１０６】
ステップ６０３での確認の結果、動作指示がＲＡＴ依存である場合、ステップ６０６に進み、ＵＥ１０は、現在のＲＡＴのタイマであるＬＴＥタイマのみを開始する。ステップ６０６でＬＴＥタイマを開始すると、ステップ６０７において、当該タイマが動作中（満了する前）、現在のＲＡＴであるＬＴＥに在圏中は再発信を抑止する。
【０１０７】
図２２は、バックオフタイマ動作例３において、ＵＥ１０が３Ｇに在圏している場合のＲｅｊｅｃｔ信号受信時の動作を示すフローチャートである。
【０１０８】
Ｒｅｊｅｃｔ信号を受信したＵＥ１０は、ステップ６１１において、動作指示（ＲＡＴ依存／ＲＡＴ非依存）の有無、タイマ値の有無を確認する。動作指示とタイマ値のうちのいずれかがない場合はステップ６１２に進み、既存動作を実行する。
【０１０９】
動作指示とタイマ値の両方がある場合はステップ６１３に進み、ＵＥ１０は、動作指示の内容を確認する。動作指示がＲＡＴ非依存である場合、ステップ６１４に進み、ＵＥ１０は、３ＧタイマとＬＴＥタイマの両方を開始する。ステップ６１４で両タイマを開始すると、ステップ６１５において、現在のＲＡＴのタイマである３Ｇタイマが動作中（満了する前）、３Ｇに在圏中は再発信を抑止する。
【０１１０】
ステップ６１３での確認の結果、動作指示がＲＡＴ依存である場合、ステップ６１６に進み、ＵＥ１０は、現在のＲＡＴのタイマである３Ｇタイマのみを開始する。ステップ６１６で３Ｇタイマを開始すると、ステップ６１７において、当該タイマが動作中（満了する前）、現在のＲＡＴである３Ｇに在圏中は再発信を抑止する。
【０１１１】
図２３は、バックオフタイマ動作例３において、ＵＥ１０がＬＴＥから３ＧにＲＡＴ変更を行った場合の動作を示すフローチャートである。
【０１１２】
ステップ７０１において、ＵＥ１０は、動作タイマ判定を行う。ステップ７０１での判定の結果、３Ｇタイマが動作中（満了前）である場合は、ステップ７０２に進み、ＵＥ１０は、３Ｇでの発信（再発信）を抑止する。ステップ７０１での判定の結果、３Ｇタイマが動作していない場合は、ステップ７０３に進み、ＵＥ１０は、ＬＴＥタイマを停止し、３Ｇでの発信（再発信）を行う。
【０１１３】
図２４は、バックオフタイマ動作例３において、ＵＥ１０が３ＧからＬＴＥにＲＡＴ変更を行った場合の動作を示すフローチャートである。
【０１１４】
ステップ７１１において、ＵＥ１０は、動作タイマ判定を行う。ステップ７１１での判定の結果、ＬＴＥタイマが動作中（満了前）である場合は、ステップ７１２に進み、ＵＥ１０は、ＬＴＥでの発信（再発信）を抑止する。ステップ７１１での判定の結果、ＬＴＥタイマが動作していない場合は、ステップ７１３に進み、ＵＥ１０は、３Ｇタイマを停止し、ＬＴＥでの発信（再発信）を行う。
【０１１５】
なお、図８、図９に示す装置の構成（機能区分）は一例に過ぎない。本実施の形態で説明する処理を実現できるのであれば、その実装方法（具体的な機能部の配置等）は、特定の実装方法に限定されない。例えば、本実施の形態のユーザ装置（ＵＥ）と通信制御装置とは、下記のように構成することもできる。
【０１１６】
すなわち、本実施の形態におけるユーザ装置は、複数の無線アクセス技術をサポートする移動通信ネットワークにおいて使用されるユーザ装置であって、第１の無線アクセス技術を使用する前記ユーザ装置から前記移動通信ネットワークに送信された発信要求が拒否される場合に、当該移動通信ネットワークから、タイマ値と動作指示を含む発信拒否信号を受信する受信部と、前記受信部により受信した前記発信拒否信号に含まれる前記タイマ値に基づいて再発信の抑止を行う動作制御部と、を備え、前記ユーザ装置が、使用する無線アクセス技術を前記第１の無線アクセス技術から第２の無線アクセス技術に変更した場合において、前記動作制御部は、前記発信拒否信号に含まれる前記動作指示に基づいて再発信を抑止するか否かを決定するユーザ装置として構成される。
【０１１７】
上記の構成により、ユーザ装置からの発信が拒否されたときに、タイマを用いてユーザ装置からの再発信を抑止する移動通信システムにおいて、ユーザ装置のＲＡＴ遷移時における再発信抑止の動作を適切に制御することを可能とする技術を提供できる。
【０１１８】
前記動作指示は、例えば、再発信の抑止動作を、前記ユーザ装置が使用する無線アクセス技術に依存して行わせる無線アクセス技術依存指示、又は、再発信の抑止動作を、前記ユーザ装置が使用する無線アクセス技術に拠らずに行わせる無線アクセス技術非依存指示である。この構成により、ユーザ装置は、再発信の抑止動作をＲＡＴ依存で行うか、ＲＡＴ非依存で行うかを明確に把握できる。
【０１１９】
前記ユーザ装置が、使用する無線アクセス技術を前記第１の無線アクセス技術から第２の無線アクセス技術に変更した場合において、前記動作制御部は、前記動作指示が前記無線アクセス技術依存指示であれば再発信の抑止を行わず、前記動作指示が前記無線アクセス技術非依存指示であればタイマ値に基づく再発信の抑止を行う。この構成により、ユーザ装置は、指示に基づく再発信抑止動作を適切に行うことができるとともに、移動通信ネットワークは、ユーザ装置におけるＲＡＴ遷移時の再発信の抑止動作を適切に制御できる。
【０１２０】
前記発信拒否信号は、前記タイマ値として、例えば、無線アクセス技術に依存しない非依存タイマ値と、無線アクセス技術毎の依存タイマ値とを含み、前記動作制御部は、前記動作指示が前記無線アクセス技術依存指示であれば、前記ユーザ装置が使用している前記第１の無線アクセス技術に対応する依存タイマ値を使用し、前記動作指示が前記無線アクセス技術非依存指示であれば前記非依存タイマ値を使用する。この構成により、ユーザ装置は、動作指示に適合したタイマ値を使用することができる。
【０１２１】
前記発信拒否信号は、前記タイマ値として、例えば、無線アクセス技術毎の依存タイマ値を含み、前記動作制御部は、前記動作指示が前記無線アクセス技術依存指示であれば、前記ユーザ装置が使用している前記第１の無線アクセス技術に対応する依存タイマ値を使用し、前記動作指示が前記無線アクセス技術非依存指示であれば、前記第１の無線アクセス技術に対応する依存タイマ値と前記第２の無線アクセス技術に対応する依存タイマ値の両方を使用するようにしてもよい。この構成により、この構成により、ユーザ装置は、動作指示に適合したタイマ値を使用することができる。
【０１２２】
また、本実施の形態における通信制御装置は、複数の無線アクセス技術をサポートする移動通信ネットワークにおける第１の無線アクセス技術に対応する通信制御装置であって、前記第１の無線アクセス技術を使用するユーザ装置から送信された発信要求を受信する受信部と、前記発信要求を拒否する場合に、動作指示と、前記ユーザ装置に再発信の抑止を行わせるためのタイマ値とを含む発信拒否信号を作成し、当該発信拒否信号を前記ユーザ装置に送信する発信拒否制御部と、を備え、前記動作指示は、前記ユーザ装置が、使用する無線アクセス技術を前記第１の無線アクセス技術から第２の無線アクセス技術に変更した場合において、当該ユーザ装置に再発信の抑止を行うか否かを決定させるために用いられる指示であるようにした通信制御装置として構成される。
【０１２３】
上記の構成により、ユーザ装置からの発信が拒否されたときに、タイマを用いてユーザ装置からの再発信を抑止する移動通信システムにおいて、ユーザ装置のＲＡＴ遷移時における再発信抑止の動作を適切に制御することを可能とする技術を提供できる。
【０１２４】
なお、前記動作指示は、Ｅｘｐｌｉｃｉｔに通知してもよいし、タイマ値に動作指示の情報を含めることで、Ｉｍｐｌｉｃｉｔに通知してもよい。Ｉｍｐｌｉｃｉｔに動作指示を通知することで、新規情報要素を追加することなくユーザ装置に動作指示を行うことができる。
【０１２５】
本実施の形態で説明するＵＥ（ユーザ装置）１０の構成は、ＣＰＵとメモリを備えるＵＥ１０において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【０１２６】
また、本実施の形態で説明する通信制御装置１００の構成は、ＣＰＵとメモリを備える通信制御装置１００において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【０１２７】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ＵＥ１０、通信制御装置１００は機能的なブロック図を用いて説明されたが、そのような装置はハードウェアで、ソフトウェアで又はそれらの組み合わせで実現されてもよい。ＵＥ１０のプロセッサにより動作するソフトウェア及び通信制御装置１００のプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【０１２８】
本国際特許出願は２０１４年５月１６日に出願した日本国特許出願第２０１４−１０２８６７号に基づきその優先権を主張するものであり、日本国特許出願第２０１４−１０２８６７号の全内容を本願に援用する。
【符号の説明】
【０１２９】
１  ＵＥ
２  ネットワーク装置
１１  無線部
１２  通信処理部
１３  動作制御部
１４  ＬＴＥ機能部
１５  ３Ｇ機能部
２０  ＭＭＥ（Ｍｏｂｉｌｅ  Ｍａｎａｇｅｍｅｎｔ  Ｅｎｔｉｔｙ）
３０  ＳＧＳＮ（Ｓｅｒｖｉｎｇ  Ｇｅｎｅｒａｌ  Ｐａｃｋｅｔ  Ｒａｄｉｏ  Ｓｅｒｖｉｃｅ  Ｓｕｐｐｏｒｔ  Ｎｏｄｅ）
４０  ＳＧＷ（Ｓｅｒｖｉｎｇ  Ｇａｔｅｗａｙ）
５０  ＰＣＲＦ（Ｐｏｌｉｃｙ  ａｎｄ  Ｃｈａｒｇｉｎｇ  Ｒｕｌｅｓ  Ｆｕｎｃｔｉｏｎ）
６０  ＰＧＷ（Ｐａｃｋｅｔ  Ｄａｔａ  Ｎｅｔｗｏｒｋ  Ｇａｔｅｗａｙ）
７０  ＥＰＣ（Ｅｖｏｌｖｅｄ  Ｐａｃｋｅｔ  Ｃｏｒｅ）
８０  ＩＭＳ（ＩＰ  Ｍｕｌｔｉｍｅｄｉａ  Ｓｕｂｓｙｓｔｅｍ）
１００  通信制御装置
２００  上位ノード装置
１０１  発信要求受信部
１０２  通信路設定要求送信部
１０３  発信要求受付判定部
１０４  発信拒否制御部
【図１】
2015174527.tif 000003
【図２】
2015174527.tif 000004
【図３】
2015174527.tif 000005
【図４Ａ】
2015174527.tif 000006
【図４Ｂ】
2015174527.tif 000007
【図５】
2015174527.tif 000008
【図６】
2015174527.tif 000009
【図７】
2015174527.tif 000010
【図８】
2015174527.tif 000011
【図９】
2015174527.tif 000012
【図１０】
2015174527.tif 000013
【図１１】
2015174527.tif 000014
【図１２】
2015174527.tif 000015
【図１３】
2015174527.tif 000016
【図１４】
2015174527.tif 000017
【図１５】
2015174527.tif 000018
【図１６】
2015174527.tif 000019
【図１７】
2015174527.tif 000020
【図１８】
2015174527.tif 000021
【図１９】
2015174527.tif 000022
【図２０】
2015174527.tif 000023
【図２１】
2015174527.tif 000024
【図２２】
2015174527.tif 000025
【図２３】
2015174527.tif 000026
【図２４】
2015174527.tif 000027
【国際調査報告】
2015174527.tif 000028
2015174527.tif 000029
2015174527.tif 000030